(57)【特許請求の範囲】
【請求項１】
蓋と、
ケースと、
前記蓋に設けられ、前記蓋の開閉に応じて回転軸を中心に回転するアーム部材と、
前記ケースの前後方向に沿った長孔が設けられた支持部材と、
を備え、
前記回転軸が、回転可能で且つ前記ケースの前後方向に沿って移動可能であるように前記支持部材の前記長孔に挿入されていることを特徴とする蓋開閉装置。
【請求項２】
請求項１に記載の蓋開閉装置において、前記回転軸には非円形状の移動軸が設けられ、前記蓋の開閉時において、前記移動軸が非回転状態で前記ケースの前後方向に沿って前記長孔内を移動することを特徴とする蓋開閉装置。
【請求項３】
請求項１又は請求項２に記載の蓋開閉装置において、前記アーム部材を前記ケースの前側に向けて付勢する付勢部材を備えていることを特徴とする蓋開閉装置。
【請求項４】
請求項２又は請求項３に記載の蓋開閉装置において、前記アーム部材の回転動作を制動する制動部材を備えていることを特徴とする蓋開閉装置。
【請求項５】
請求項１乃至請求項４のいずれかに記載の蓋開閉装置において、前記蓋は、前記ケース上面を覆うように設けられとともに前記アーム部材は前記蓋の後部下面に設けられ、
前記アーム部材は前記回転軸を中心に回転して前記蓋を前記ケース後方に起立させることにより、前記蓋を開いた状態にする蓋開閉装置。
【請求項６】
請求項１乃至請求項５のいずれかに記載の蓋開閉装置において、前記蓋は鍵盤蓋であり、前記ケースは楽器ケースである蓋開閉装置。
【発明の詳細な説明】
【技術分野】
【０００１】
この発明は、電子ピアノや電子オルガンなどの鍵盤楽器に用いられる蓋開閉装置に関する。
【背景技術】
【０００２】
例えば、鍵盤楽器においては、特許文献１に記載されているように、楽器ケース内に設けられた鍵盤部を覆う鍵盤蓋が開閉する際に、鍵盤蓋に設けられたアーム部材が支点である回転軸を中心に回転するように構成されたものが知られている。
【先行技術文献】
【特許文献】
【０００３】
【特許文献１】特開２０１１−２１７００号公報
【発明の概要】
【発明が解決しようとする課題】
【０００４】
このような鍵盤楽器では、アーム部材に設けられた回転軸が楽器ケースに対して回転可能に取り付けられ、この回転軸を中心にアーム部材が回転して鍵盤蓋を開閉することができるが、鍵盤蓋が開いた際に、鍵盤蓋の後端部が楽器ケースの後端面に当接して鍵盤蓋が楽器ケースの後方に向けて傾いた状態で起立する。このため、この鍵盤楽器では、鍵盤蓋を開く際に、鍵盤蓋の後端部と楽器ケースの後端面との間に手や指を挟んで怪我をする恐れがある。
【０００５】
この発明が解決しようとする課題は、鍵盤蓋を開く際に、手や指を挟んで怪我をするのを防ぐことができる蓋開閉装置を提供することである。
【課題を解決するための手段】
【０００６】
この発明は、蓋と、ケースと、前記蓋に設けられ、前記蓋の開閉に応じて回転軸を中心に回転するアーム部材と、前記ケースの前後方向に沿った長孔が設けられた支持部材と、を備え、前記回転軸が、回転可能で且つ前記ケースの前後方向に沿って移動可能であるように前記支持部材の前記長孔に挿入されていることを特徴とする蓋開閉装置である。
【発明の効果】
【０００７】
この発明によれば、アーム部材が支点を中心に回転して鍵盤蓋が開き、この鍵盤蓋の後端部が楽器ケースの後端面に当接して鍵盤蓋が起立する際に、鍵盤蓋の後端部と楽器ケースの後端面との間に手や指などの異物が介在されると、この異物によってアーム部材の支点を支持部材の支点移動部に沿って移動させることができる。このため、鍵盤蓋を楽器ケースの後方に向けて移動させることができるので、鍵盤蓋の後端部と楽器ケースの後端面との間に手や指などの異物を強く挟み付けることがない。これにより、鍵盤蓋を開く際に、手や指を挟んで怪我をするのを防ぐことができる。
【図面の簡単な説明】
【０００８】
【図１】この発明を鍵盤楽器に適用した第１実施形態を示した断面図である。
【図２】図１に示された鍵盤楽器の鍵盤蓋を開く途中の状態を示した断面図である。
【図３】図２に示された鍵盤楽器の鍵盤蓋を更に開いて起立させた状態を示した断面図である。
【図４】図３に示された鍵盤楽器の鍵盤蓋が起立した状態で楽器ケースの後方に移動した状態を示した断面図である。
【図５】図１に示された鍵盤楽器のＡ−Ａ矢視における要部を示した拡大断面図である。
【図６】この発明を鍵盤楽器に適用した第２実施形態において、鍵盤蓋を開く途中の状態を示した断面図である。
【図７】図６に示された鍵盤楽器の鍵盤蓋が起立した状態で楽器ケースの後方に移動した状態を示した断面図である。
【図８】図６に示された鍵盤楽器における鍵盤蓋の回転中心付近を示し、（ａ）は図６のＢ−Ｂ矢視における拡大断面図、（ｂ）は（ａ）のＣ−Ｃ矢視における拡大断面図である。
【図９】図８に示された鍵盤楽器の制動部材および移動軸を示した拡大斜視図である。
【発明を実施するための形態】
【０００９】
（第１実施形態）
以下、図１〜図５を参照して、この発明を鍵盤楽器に適用した第１実施形態について説明する。
この鍵盤楽器は、図１〜図３に示すように、楽器ケース１を備えている。この楽器ケース１は、両側に脚部を有して前側上部が開放された箱形状に形成されている。
【００１０】
すなわち、この楽器ケース１は、図１〜図３に示すように、脚部を兼ねる一対の側板２と、この一対の側板２間における上部側に設けられた棚板である底板３と、この底板３の前端部（図１では左端部）上に起立して設けられた前板４と、底板３の後端部（図１では右端部）上に起立して設けられた後板５と、この後板５の上部および一対の側板２の上部に設けられたカバー板６とを備えている。
【００１１】
この場合、前板４は、図１〜図３に示すように、後板５の高さよりも少し低く形成されている。一対の側板２は、底部３から上端部までの高さが後板５と同じ高さに形成されている。また、カバー板６は、一対の側板２の中間部よりも後部側、つまり後述する鍵盤部７の後部に対応する箇所の後部側に位置する上部と後板５の上部とに跨って設けられている。これにより、楽器ケース１は、その前側が上方に開放された箱形状に形成されている。
【００１２】
この楽器ケース１の内部には、図１〜図３に示すように、鍵盤部７が設けられている。この鍵盤部７は、白鍵８ａおよび黒鍵８ｂを備え、これら白鍵８ａおよび黒鍵８ｂを鍵盤シャーシ（図示せず）上に上下方向に回転可能に取り付けた状態で多数並列に配列した構成になっている。この場合、鍵盤部７の白鍵８ａおよび黒鍵８ｂは、その後部を除いて、楽器ケース１の上方に露呈するように構成されている。
【００１３】
また、この楽器ケース１の上部には、図１〜図３に示すように、鍵盤部７を開閉自在に覆う鍵盤蓋９が蓋開閉装置１０によって開閉可能に設けられている。この鍵盤蓋９は、蓋開閉装置１０によって上下方向に回転することにより、楽器ケース１の上部に配置されて鍵盤部７およびカバー板６を覆い隠し、また楽器ケース１の後方（図１では右側）に少し傾いた状態で起立して鍵盤部７およびカバー板６を開放するように構成されている。
【００１４】
この場合、鍵盤蓋９の下面における前端部（図１では左端部）には、図１に示すように、鍵盤蓋９を閉じた際に、楽器ケース１の側板２の前端上部に当接する前ストッパー部９ａが設けられている。また、鍵盤蓋９の下面における後端部（図１では右端部）には、図３に示すように、鍵盤蓋９を開いて起立させた際に、楽器ケース１の後板５の外面に当接する後ストッパー部９ｂが設けられている。この前ストッパー部９ａおよび後ストッパー部９ｂは、ゴムなどの弾性材料によって形成されている。
【００１５】
この鍵盤蓋９の蓋開閉装置１０は、図１〜図３に示すように、鍵盤蓋９の後部下面に設けられて支点である回転軸１１を中心に回転するアーム部材１２と、このアーム部材１２の回転軸１１を楽器ケース１の前後方向（図１では左右方向）に移動可能に支持する支点移動部１３を有する支持部材１４とを備えている。この場合、アーム部材１２は、鍵盤蓋９の後部下面における両側（図１では紙面の表裏面方向における両側）にそれぞれ設けられている。
【００１６】
すなわち、このアーム部材１２は、図１に示すように、鍵盤蓋９が閉じた状態のときに、鍵盤蓋９の後部下面から楽器ケース１内における鍵盤部７の後端部に向けて突出し、この突出した下部側の後端部に回転軸１１が、図５に示すように、支持部材１４に向けて突出して設けられた構成になっている。これにより、アーム部材１２は、鍵盤蓋９が閉じた状態のときに、鍵盤蓋９を楽器ケース１のカバー板６の上方に少し浮かした状態で配置するように構成されている。
【００１７】
また、このアーム部材１２は、図１〜図３に示すように、回転軸１１を中心に回転して鍵盤蓋９を開いて起立させる際に、カバー板６の上方に僅かに突出する形状に形成されている。このため、このアーム部材１２は、回転軸１１を中心に回転して鍵盤蓋９を開閉する際に、楽器ケース１の後板５およびカバー板６に亘って連続して設けられたスリット溝１６内を移動するように構成されている。
【００１８】
一方、支持部材１４は、図１〜図５に示すように、楽器ケース１における一対の側板２の内面に接近する底板３上に起立して設けられている。この支持部材１４の上部には、アーム部材１２の回転軸１１を移動可能に支持する支点移動部１３が設けられている。この支点移動部１３は、回転軸１１が回転可能に挿入された状態で、楽器ケース１の前後方向に沿って移動する長孔に形成されている。
【００１９】
また、アーム部材１２は、図１〜図３に示すように、付勢部材１７によって楽器ケース１の前側（図１では左側）に向けて付勢されている。この付勢部材１７は、コイルばねであり、一端部１７ａが楽器ケース１内の取付板１８の上部に取り付けられ、他端部１７ｂがアーム部材１２に取り付けられている。この場合、取付板１８は、楽器ケース１の前後方向におけるほぼ中間部に位置し、且つ一対の側板２の内面に接近した状態で、楽器ケース１の底板３上に起立して設けられている。
【００２０】
これにより、この付勢部材１７は、図１に示すように、鍵盤蓋９が楽器ケース１上に配置されて閉じた際に、後部下り（図１では右下り）に傾斜した状態で弾力的に伸びることにより、アーム部材１２を楽器ケース１の前側（図１では左側）に向けて付勢して、回転軸１１を支点移動部１３の前端部１３ａに配置させるように構成されている。
【００２１】
また、この付勢部材１７は、図２に示すように、鍵盤蓋９がアーム部材１２と共に回転軸１１を中心に回転して開く際に、徐々に収縮し、鍵盤蓋９が楽器ケース１上に後部下がりにほぼ４５度に傾斜した際に、最も収縮し、更に鍵盤蓋９が回転して開く際に、徐々に弾力的に伸びることにより、アーム部材１２を楽器ケース１の前側（図２では左側）に向けて付勢して、回転軸１１を支点移動部１３の前端部１３ａに配置させるように構成されている。
【００２２】
また、この付勢部材１７は、図３に示すように、鍵盤蓋９が楽器ケース１上に起立して後方に向けて傾いた状態で開いた際に、後部上り（図３では右上り）に傾斜した状態で弾力的に伸び、これによりアーム部材１２を楽器ケース１の前側（図３では左側）に向けて付勢して、回転軸１１を支点移動部１３の前端部１３ａに配置させるように構成されている。これにより、鍵盤蓋９は、楽器ケース１上に起立して後方に傾いた状態で開いた際に、鍵盤蓋９の後端部の後ストッパー部９ｂが楽器ケース１の後板５の外面に当接するように構成されている。
【００２３】
さらに、この付勢部材１７は、図４に示すように、鍵盤蓋９が楽器ケース１上に起立して後方に傾いた状態で開く際に、鍵盤蓋９の後端部の後ストッパー部９ｂと楽器ケース１の後板５の外面との間に手や指などの異物が介在すると、この異物によって弾力的に伸び、これにより付勢部材１７の付勢力に抗して、回転軸１１が支点移動部１３の後端部１３ｂに移動し、アーム部材１２を楽器ケース１の後側（図４では右側）に向けて移動させることにより、鍵盤蓋９を起立させた状態で楽器ケース１の後方に移動させるように構成されている。
【００２４】
次に、この鍵盤楽器における蓋開閉装置１０の作用について説明する。
まず、鍵盤蓋９を開く際には、図１に示す状態で、鍵盤蓋９の前端部を持ち上げる。すると、アーム部材１２の回転軸１１を中心に鍵盤蓋９がアーム部材１２と共に時計回りに回転する。このときには、アーム部材１２が付勢部材１７によって楽器ケース１の前側に向けて付勢されていることにより、回転軸１１が支持部材１４の支点移動部１３の前端部１３ａに位置し、この状態でアーム部材１２が回転軸１１を中心に時計回りに回転する。
【００２５】
このように、アーム部材１２が回転すると、図２に示すように、鍵盤蓋９の前端部が楽器ケース１の上方に向けて移動すると共に、鍵盤蓋９の後端部が楽器ケース１の後板５の後方に向けて斜め下側に移動する。このときには、アーム部材１２の下部が楽器ケース１の前側上方に向けて回転移動するので、付勢部材１７が徐々に収縮する。このため、アーム部材１２に対する付勢部材１７の付勢力が徐々に低下し、鍵盤蓋９を開く力が徐々に軽くなる。
【００２６】
この後、鍵盤蓋９が更に回転して開く際には、図３に示すように、アーム部材１２の下部が楽器ケース１の斜め上方に向けて回転移動するので、付勢部材１７が再び伸びる。このため、アーム部材１２に対する付勢部材１７の付勢力が徐々に増大し、鍵盤蓋９を開く力が徐々に重くなる。そして、鍵盤蓋９が楽器ケース１の後方に起立すると、鍵盤蓋９の後ストッパー部９ｂが楽器ケース１の後板５の外面に当接する。これにより、鍵盤蓋９が楽器ケース１の後方に向けて傾いた状態で起立する。
【００２７】
このとき、鍵盤蓋９が楽器ケース１の後方に起立する際に、図４に示すように、鍵盤蓋９の後端部と楽器ケース１の後板５との間に手や指などの異物が介在されていると、この異物によって鍵盤蓋９が起立した状態で楽器ケース１の後方に向けて移動する。すなわち、鍵盤蓋９の後端部と楽器ケース１の後板５との間に介在された異物によって、回転軸１１が付勢部材１７の付勢力に抗して、支持部材１４の支点移動部１３に沿って楽器ケース１の後部側に向けて移動する。
【００２８】
これにより、図４に示すように、回転軸１１が支点移動部１３の後端部１３ｂに位置し、これに伴ってアーム部材１２が後部側に移動する。このため、アーム部材１２と共に鍵盤蓋９が起立した状態で楽器ケース１の後方に移動し、鍵盤蓋９の後端部と楽器ケース１の後板５との間の間隔が広くなり、手や指が挟まれて怪我をする危険性が回避され、安全に鍵盤蓋９を開くことができる。
【００２９】
このように、この鍵盤楽器における蓋開閉装置１０によれば、楽器ケース１内に設けられた鍵盤部７を開閉可能に覆う鍵盤蓋９と、この鍵盤蓋９に設けられて支点である回転軸１１を中心に回転するアーム部材１２と、このアーム部材１２の回転軸１１を楽器ケース１の前後方向に移動可能に支持する支点移動部１３を有する支持部材１４と、を備えていることにより、鍵盤蓋９を開く際に、鍵盤蓋９の後端部と楽器ケース１の後板５との間に手や指を挟んで怪我をするのを防ぐことができる。
【００３０】
すなわち、この蓋開閉装置１０によれば、アーム部材１２が支点である回転軸１１を中心に回転して鍵盤蓋９が開き、この鍵盤蓋９の後端部が楽器ケース１の後板５の外面に当接して鍵盤蓋９が起立する際に、鍵盤蓋９の後端部と楽器ケース１の後板５の外面との間に手や指などの異物が介在されると、この異物によってアーム部材１２の回転軸１１を支持部材１４の支点移動部１３に沿って移動させることができる。
【００３１】
このため、アーム部材１２を楽器ケース１の後方に向けて移動させることができるので、鍵盤蓋９を楽器ケース１の後板５から後方に向けて移動させて離すことができる。これにより、鍵盤蓋９の後端部と楽器ケース１の後板５の外面との間に手や指などの異物を強く挟み付けることがないので、鍵盤蓋９を開く際に、手や指を挟んで怪我をするのを防ぐことができる。
【００３２】
この場合、アーム部材１２の支点は、アーム部材１２に設けられた回転軸１１であり、支持部材１４の支点移動部１３は、回転軸１１が回転可能に挿入されて楽器ケース１の前後方向に沿って移動する長孔であることにより、回転軸１１をアーム部材１２に設けるだけで、簡単にアーム部材１２の支点を形成することができると共に、支持部材１４に長孔を形成するだけで、簡単に支点移動部１３を支持部材１４に設けることができ、このため構造が簡単で、容易に製作することができる。
【００３３】
また、この蓋開閉装置１０では、アーム部材１２を楽器ケース１の前側に向けて付勢する付勢部材１７を備えていることにより、この付勢部材１７の付勢力によってアーム部材１２の支点である回転軸１１を支持部材１４の支点移動部１３の前端部１３ａに位置させることができ、これにより通常はアーム部材１２を一定の回転中心で回転させることができるので、鍵盤蓋９を一定の回転軌跡に沿って安定した状態で開閉することができる。
【００３４】
また、この蓋開閉装置１０では、アーム部材１２が回転軸１１を中心に回転して鍵盤蓋９が開き、この鍵盤蓋９の後端部が楽器ケース１の後板５の外面に当接して鍵盤蓋９が起立する際に、鍵盤蓋９の後端部と楽器ケース１の後板５の外面との間に手や指などの異物が介在されると、この異物が付勢部材１７の付勢力に抗してアーム部材１２の回転軸１１を楽器ケース１の後方に向けて移動させることができるので、鍵盤蓋９を開く際に、手や指を挟んで怪我をするのを確実に防ぐことができる。
【００３５】
（第２実施形態）
次に、図６〜図９を参照して、この発明を鍵盤楽器に適用した第２実施形態について説明する。なお、図１〜図５に示された第１実施形態と同一部分には同一符号を付して説明する。
この鍵盤楽器の蓋開閉装置２０は、図８および図９に示すように、アーム部材１２の回転動作を制動するための制動部材２１を備えた構成であり、これ以外は第１実施形態とほぼ同じ構成になっている。
【００３６】
すなわち、この蓋開閉装置２０の制動部材２１は、図８および図９に示すように、ダンパー部材であり、外筒部２２と内筒部２３とを有し、内筒部２３が外筒部２２に対して一定の負荷をもって回転するように構成されている。この場合、外筒部２２は、その外周部に鍔部２２ａが突出して設けられ、この鍔部２２ａがビス２４によってアーム部材１２に取り付けられ、これによりアーム部材１２と共に回転するように構成されている。
【００３７】
内筒部２３は、図８および図９に示すように、外筒部２２内に回転可能な状態で配置されている。この内筒部２３は、その回転中心に軸部２３ａが軸方向に沿って外筒部２２の外部に向けって突出して設けられている。この軸部２３ａには、移動軸２５が同一軸線上に一体的に取り付けられている。これにより、内筒部２３は、軸部２３ａが移動軸２５と共に、外筒部２２に対して一定の負荷をもって相対的に回転するように構成されている。
【００３８】
この場合、移動軸２５は、図８および図９に示すように、断面が楕円形状に形成され、支持部材１４の支点移動部１３内に非回転状態で挿入されていると共に、楽器ケース１の前後方向に沿って移動するように構成されている。すなわち、この移動軸２５には、内筒部２３の軸部２３ａが挿入する軸挿入穴２５ａが設けられており、この軸挿入穴２５ａの内周面にキー突起部２５ｂが軸方向に沿って設けられている。また、内筒部２３の軸部２３ａの外周面には、キー突起部２５ｂが挿入して係合するキー溝部２３ｂが設けられている。
【００３９】
これにより、移動軸２５は、図８および図９に示すように、その軸挿入穴２５ａ内に内筒部２３の軸部２３ａが挿入し、この軸部２３ａのキー溝部２３ｂに軸挿入穴２５ａのキー突起部２５ｂが挿入して係合することにより、内筒部２３が軸部２３ａと共に一体的に回転するように構成されている。この場合、アーム部材１２の支点は、内筒部２３の軸部２３ａと移動軸２５とを有するように構成されている。
【００４０】
このため、制動部材２１は、図６〜図９に示すように、アーム部材１２が鍵盤蓋９と共に回転すると、このアーム部材１２と共に外筒部２２が内筒部２３に対して回転し、このときに外筒部２２が内筒部２３に対して一定の負荷をもって回転することにより、アーム部材１２に一定の負荷を付与して、アーム部材１２の回転動作を制動すると共に、鍵盤蓋９の開閉動作を制動するように構成されている。
【００４１】
次に、この第２実施形態の鍵盤楽器における蓋開閉装置２０の作用について説明する。
この場合にも、鍵盤蓋９を開く際には、鍵盤蓋９の前端部を持ち上げる。すると、アーム部材１２の支点である制動部材２１の軸部２３ａと移動軸２５とを中心に鍵盤蓋９が時計回りに回転する。このときには、アーム部材１２が付勢部材１７によって楽器ケース１の前側に向けて付勢されていることにより、移動軸２５が支持部材１４の支点移動部１３の前端部１３ａに位置し、この状態でアーム部材１２が制動部材２１の軸部２３ａと移動軸２５とを中心に時計回りに回転する。
【００４２】
このようにアーム部材１２が回転する際には、図６に示すように、移動軸２５が支持部材１４の支点移動部１３内に非回転状態で挿入されているので、制動部材２１の内筒部２３が移動軸２５によって回転せず、外筒部２２がアーム部材１２と共に内筒部２３に対して一定の負荷をもって回転する。このようにして、アーム部材１２が回転すると、鍵盤蓋９の前端部が楽器ケース１の上方に向けて移動すると共に、鍵盤蓋９の後端部が楽器ケース１の後板５の後方に向けて斜め下側に移動する。
【００４３】
このときには、アーム部材１２の下部が楽器ケース１の前側上方に向けて回転移動するので、付勢部材１７が徐々に収縮する。このため、制動部材２１によってアーム部材１２に一定の負荷が付与されていても、アーム部材１２に対する付勢部材１７の付勢力が徐々に低下するので、鍵盤蓋９を開く力が徐々に軽くなる。
【００４４】
この後、鍵盤蓋９が更に回転して開く際には、図７に点線で示すように、アーム部材１２の下部が楽器ケース１の斜め上方に向けて回転移動するので、付勢部材１７が再び弾力的に伸びる。このため、アーム部材１２に対する付勢部材１７の付勢力が徐々に増大するので、制動部材２１によってアーム部材１２に付与されている一定の負荷と共に、鍵盤蓋９を開く力が徐々に重くなる。
【００４５】
そして、鍵盤蓋９が楽器ケース１の後方に起立すると、鍵盤蓋９の後ストッパー部９ｂが楽器ケース１の後板５の外面に当接する。これにより、鍵盤蓋９が楽器ケース１の後方に向けて傾いた状態で起立する。このとき、鍵盤蓋９が楽器ケース１の後方に起立する際に、図７に実線で示すように、鍵盤蓋９の後端部と楽器ケース１の後板５との間に手や指などの異物が介在されていると、この異物によって鍵盤蓋９が起立した状態で楽器ケース１の後方に向けて移動する。
【００４６】
すなわち、このときには、鍵盤蓋９の後端部と楽器ケース１の後板５との間に介在された異物によって、移動軸２５が付勢部材１７の付勢力に抗して、支持部材１４の支点移動部１３に沿って楽器ケース１の後部側に向けて移動する。これにより、図７に実線で示すように、移動軸２５が支点移動部１３の後端部１３ｂに位置し、これに伴ってアーム部材１２が後部側に移動する。
【００４７】
このため、第１実施形態と同様、アーム部材１２と共に鍵盤蓋９が起立した状態で楽器ケース１の後方に移動し、鍵盤蓋９の後端部（図７では下端部）と楽器ケース１の後板５との間の間隔が広くなり、手や指が強く挟まれて怪我をする危険性が回避され、安全に鍵盤蓋９を開くことができる。
【００４８】
このように、この第２実施形態の鍵盤楽器における蓋開閉装置２０によれば、アーム部材１２が支点である移動軸２５を中心に回転して鍵盤蓋９が開き、この鍵盤蓋９の後端部が楽器ケース１の後板５の外面に当接して鍵盤蓋９が起立する際に、鍵盤蓋９の後端部と楽器ケース１の後板５の外面との間に手や指などの異物が介在されると、この異物によってアーム部材１２と共に移動軸２５を支持部材１４の支点移動部１３に沿って移動させることができる。
【００４９】
このため、第１実施形態と同様、アーム部材１２を楽器ケース１の後方に向けて移動させることができるので、鍵盤蓋９を楽器ケース１の後板５から後方に向けて移動させて離すことができる。これにより、鍵盤蓋９の後端部と楽器ケース１の後板５の外面との間に手や指などの異物を強く挟み付けることがないので、鍵盤蓋９を開く際に、手や指を挟んで怪我をするのを防ぐことができる。
【００５０】
この場合、アーム部材１２の支点は、アーム部材１２に対して回転可能に設けられた非円形状の移動軸２５を有し、支持部材１４の支点移動部１３は、移動軸２５が非回転状態で楽器ケース１の前後方向に沿って移動する長孔であることにより、移動軸２５をアーム部材１２に対して回転可能に設けるだけで、簡単にアーム部材１２の支点を形成することができると共に、支持部材１４に長孔を形成するだけで、簡単に支点移動部１３を支持部材１４に設けることができ、このため構造が簡単で、容易に製作することができる。
【００５１】
また、この蓋開閉装置２０においても、アーム部材１２を楽器ケース１の前側に向けて付勢する付勢部材１７を備えていることにより、この付勢部材１７の付勢力によってアーム部材１２の支点である移動軸２５を支持部材１４の支点移動部１３の前端部１３ａに位置させることができ、これにより通常はアーム部材１２を一定の回転中心で回転させることができるので、第１実施形態と同様、鍵盤蓋９を一定の回転軌跡に沿って安定した状態で開閉することができる。
【００５２】
また、この蓋開閉装置２０においても、アーム部材１２が支点である移動軸２５を中心に回転して鍵盤蓋９が開き、この鍵盤蓋９の後端部が楽器ケース１の後板５の外面に当接して鍵盤蓋９が起立する際に、鍵盤蓋９の後端部と楽器ケース１の後板５の外面との間に手や指などの異物が介在されると、この異物が付勢部材１７の付勢力に抗してアーム部材１２の移動軸２５を楽器ケース１の後方に向けて移動させることができるので、第１実施形態と同様、鍵盤蓋９を開く際に、手や指を挟んで怪我をするのを確実に防ぐことができる。
【００５３】
さらに、この蓋開閉装置２０では、アーム部材１２の回転動作を制動する制動部材２１を備えていることにより、鍵盤蓋９を開閉する際に、制動部材２１によって鍵盤蓋９の開閉動作を制動することができ、これにより鍵盤蓋９を安全に且つ良好に開閉することができる。すなわち、この制動部材２１は、外筒部２２と内筒部２３とを有し、内筒部２３が外筒部２２に対して一定の負荷をもって回転するように構成されているので、鍵盤蓋９を開閉する際に、鍵盤蓋９に一定の負荷を付与して鍵盤蓋９の開閉動作を重くすることができる。
【００５４】
この場合、制動部材２１は、外筒部２２がアーム部材１２に取り付けられ、内筒部２３が外筒部２２内に一定の負荷をもって相対的に回転するように配置され、移動軸２５が内筒部２３の軸部２３ａに取り付けられ、この移動軸２５が断面楕円形状に形成されて支持部材１４の支点移動部１３内に非回転状態で挿入されて楽器ケース１の前後方向に沿って移動するように構成されているので、アーム部材１２の回転動作を確実に制動して、鍵盤蓋９の開閉動作を良好に制動することができる。
【００５５】
すなわち、この制動部材２１によれば、アーム部材１２が鍵盤蓋９と共に回転すると、このアーム部材１２と共に外筒部２２が内筒部２３に対して相対的に回転し、このときに外筒部２２が内筒部２３に対して一定の負荷をもって回転することにより、アーム部材１２に一定の負荷を付与することができるので、アーム部材１２の回転動作を確実に制動して、鍵盤蓋９の開閉動作を良好に制動することができる。
【００５６】
なお、上述した第２実施形態では、アーム部材１２に対して回転可能に取り付けられる移動軸２５を断面楕円形状に形成した場合について述べたが、必ずしも断面が楕円形状である必要はなく、例えば断面が三角形、四角形、五角形などの多角形に形成されていても良く、要は断面形状が非円形に形成されていれば良い。
【００５７】
また、上述した第２実施形態では、制動部材２１を介してアーム部材１２に移動軸２５を回転可能に設けた場合について述べたが、必ずしも制動部材２１を介してアーム部材１２に移動軸２５を設ける必要はなく、例えば移動軸２５をアーム部材１２に直接回転可能に取り付けた構成であっても良い。
【００５８】
さらに、上述した第１、第２の各実施形態では、付勢部材１７としてコイルばねを用いた場合について述べたが、必ずしもコイルばねである必要はなく、例えば板ばねなどのばね部材、あるいはゴムなどの弾性部材を用いても良い。
【００５９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６０】
（付記）
請求項１に記載の発明は、鍵盤蓋と、前記鍵盤蓋に設けられて支点を中心に回転するアーム部材と、前記アーム部材の前記支点を移動可能に支持する支点移動部を有する支持部材と、を備えていることを特徴とする蓋開閉装置である。
【００６１】
請求項２に記載の発明は、請求項１に記載の蓋開閉装置において、前記アーム部材の前記支点は、前記アーム部材に設けられた回転軸であり、前記支持部材の前記支点移動部は、前記回転軸が回転可能に挿入されて楽器ケースの前後方向に沿って移動する長孔であることを特徴とする蓋開閉装置である。
【００６２】
請求項３に記載の発明は、請求項１に記載の蓋開閉装置において、前記アーム部材の前記支点は、前記アーム部材に対して回転可能に設けられた非円形状の移動軸を有し、前記支持部材の前記支点移動部は、前記移動軸が非回転状態で前記楽器ケースの前後方向に沿って移動する長孔であることを特徴とする蓋開閉装置である。
【００６３】
請求項４に記載の発明は、請求項１〜請求項３のいずれかに記載の蓋開閉装置において、前記アーム部材を前記楽器ケースの前側に向けて付勢する付勢部材を備えていることを特徴とする蓋開閉装置である。
【００６４】
請求項５に記載の発明は、請求項１〜請求項４のいずれかに記載の蓋開閉装置において、前記アーム部材の回転動作を制動する制動部材を備えていることを特徴とする蓋開閉装置である。
【符号の説明】
【００６５】
１  楽器ケース
７  鍵盤部
９  鍵盤蓋
１０、２０  蓋開閉装置
１１  回転軸
１２  アーム部材
１３  支点移動部
１３ａ  支点移動部の前端部
１３ｂ  支点移動部の後端部
１４  支持部材
１７  付勢部材
２１  制動部材
２２  外筒部
２３  内筒部
２３ａ  軸部
２５  移動軸
【図１】
0006032531.tif 000002
【図２】
0006032531.tif 000003
【図３】
0006032531.tif 000004
【図４】
0006032531.tif 000005
【図５】
0006032531.tif 000006
【図６】
0006032531.tif 000007
【図７】
0006032531.tif 000008
【図８】
0006032531.tif 000009
【図９】
0006032531.tif 000010